(57)【要約】【課題】  圃場への水の供給量が安定すると共に、メンテナンス作業性の高い潅水装置を備える移植機を提供すること。【解決手段】  走行車体４０に作業者が搭乗するステップ１２２を設け、走行車体４０に苗を圃場に植え付ける植付装置２０ａ，２０ｂを設け、植付装置２０ａ，２０ｂが植え付けた苗の付近に水を供給する灌水装置を設けると共に、灌水装置が使用する水を貯留する貯水部材６００を設け、灌水装置は、貯水部材６００の水を吸い上げて植付装置２０ａ，２０ｂ側に移動させるポンプ７００と、水の逆流を防止するチェックバルブ７２０で構成し、チェックバルブ７２０は、ステップ１２２の機体外側の下部に配置する構成とする。【選択図】  図２７
2020068743.tif 000002
【特許請求の範囲】
【請求項１】
走行車体（４０）に作業者が搭乗するステップ（１２２）を設け、該走行車体（４０）に苗を圃場に植え付ける植付装置（２０ａ，２０ｂ）を設け、該植付装置（２０ａ，２０ｂ）が植え付けた苗の付近に水を供給する灌水装置を設けると共に、該灌水装置が使用する水を貯留する貯水部材（６００）を設けた移植機において、
前記灌水装置は、貯水部材（６００）の水を吸い上げて前記植付装置（２０ａ，２０ｂ）側に移動させるポンプ（７００）と、水の逆流を防止するチェックバルブ（７２０）で構成し、
該チェックバルブ（７２０）は、前記ステップ（１２２）の機体外側の下部に配置することを特徴とする移植機。
【請求項２】
前記チェックバルブ（７２０）は、前記貯水部材（６００）から吸い上げられてポンプ（７００）に向かう水が通過する吸水バルブ（７２４）と、前記ポンプ（７００）から排出されて植付装置（２０ａ，２０ｂ）に向かう水が通過する排水バルブ（７２５）で構成し、
該吸水バルブ（７２４）と排水バルブ（７２５）は、前記ステップ（１２２）の同じ側に配置することを特徴とする請求項１に記載の移植機。
【請求項３】
前記貯水部材（６００）から吸水バルブ（７２４）を通過してポンプ（７００）に向かう水の移動方向と、前記ポンプ（７００）から排水バルブ（７２５）を通過して植付装置（２０ａ，２０ｂ）に向かう水の移動方向は、同じ方向としたことを特徴とする請求項２に記載の移植機。
【請求項４】
前記走行車体（４０）の側方に、補充用の苗を載置する苗枠（５０）を設け、該苗枠（５０）は、苗枠支柱（５１）と、苗を受ける苗載せ台（５５）で構成し、
該苗枠支柱（５１）は、走行車体（４０）から機体外側に突出する側方突出部（５１ａ）と、前記ステップ（１２２）の端部よりも外側で屈曲して機体上方に向かう上下部（５１ｂ）を有し、
該側方突出部（５１ａ）と上下部（５１ｂ）に亘って、前記貯水部材（６００）を着脱自在に支持する保持部材（６０１）を設けたことを特徴とする請求項１から３のいずれか１項に記載の移植機。
【請求項５】
前記苗枠支柱（５１）の下部に、圃場を走行する走行装置（４４）に駆動力を伝動する走行伝動ケース（３８）を上下回動自在に設け、
前記保持部材（６０１）の前後方向中央よりも後側を前記苗枠支柱（５１）に装着することを特徴とする請求項４に記載の移植機。
【請求項６】
前記走行伝動ケース（３８）を上下回動させて走行車体（４０）の車高を変更する昇降アクチュエータ（３００）を設け、該昇降アクチュエータ（３００）を伸縮操作する車高調節部材（１２３）を設け、
該車高調節部材（１２３）を車高維持位置に操作すると、前記昇降アクチュエータ（３００）の収縮を規制する車高低下規制部材（３６０）を設けたことを特徴とする請求項５に記載の移植機。
【発明の詳細な説明】
【技術分野】
【０００１】
本発明は、玉葱やレタス等の野菜苗を圃場に移植する移植機に関するものである。
【背景技術】
【０００２】
従来、苗の植え付けに連動して所定量の水を供給する灌水装置を備え、植え付けた苗の周辺に水を供給することが可能な移植機が知られている（特許文献１参照）。
【０００３】
この移植機は、ポンプの作動によりタンクから吸い出された水が通過する吸水ホースにチェックバルブを設け、ポンプの作動による圧力変化で水が吸水ホース内に戻されることを防止している。
【先行技術文献】
【特許文献】
【０００４】
【特許文献１】特開２０１２−２１７３６８号公報
【発明の概要】
【発明が解決しようとする課題】
【０００５】
しかしながら、特許文献１の移植機では、苗の植付位置に水を送る送水ホース側にはチェックバルブが付いておらず、ポンプの作動による圧力で水が吸い上げられて逆流すると、圃場に供給される水の量が設定よりも少なくなることがある。
【０００６】
また、ポンプやチェックバルブは、機体左右中央付近に設けられる植付伝動ケースに取付ステーを介して装着されるので、メンテナンス作業の際に作業者が奥まった部分に手を伸ばして作業をしなければならず、作業能率が低下する問題がある。
【０００７】
特に、チェックバルブは夾雑物の進入や、逆流防止用のボールが定位置に戻らなくなる等して水の供給経路を詰まらせる頻度が比較的高く、確認やメンテナンスの頻度の高い部品であるので、上記の問題の影響が大きい。
【０００８】
本発明は、従来の課題を考慮して、圃場への水の供給量が安定すると共に、メンテナンス作業性の高い潅水装置を備える移植機を提供することを目的とする。
【課題を解決するための手段】
【０００９】
上記課題を解決するために、次のような技術的手段を講じた。
【００１０】
すなわち、請求項１に係る発明は、走行車体（４０）に作業者が搭乗するステップ（１２２）を設け、該走行車体（４０）に苗を圃場に植え付ける植付装置（２０ａ，２０ｂ）を設け、該植付装置（２０ａ，２０ｂ）が植え付けた苗の付近に水を供給する灌水装置を設けると共に、該灌水装置が使用する水を貯留する貯水部材（６００）を設けた移植機において、前記灌水装置は、貯水部材（６００）の水を吸い上げて前記植付装置（２０ａ，２０ｂ）側に移動させるポンプ（７００）と、水の逆流を防止するチェックバルブ（７２０）で構成し、該チェックバルブ（７２０）は、前記ステップ（１２２）の機体外側の下部に配置することを特徴とする移植機とした。
【００１１】
請求項２に係る発明は、前記チェックバルブ（７２０）は、前記貯水部材（６００）から吸い上げられてポンプ（７００）に向かう水が通過する吸水バルブ（７２４）と、前記ポンプ（７００）から排出されて植付装置（２０ａ，２０ｂ）に向かう水が通過する排水バルブ（７２５）で構成し、該吸水バルブ（７２４）と排水バルブ（７２５）は、前記ステップ（１２２）の同じ側に配置することを特徴とする請求項１に記載の移植機とした。
【００１２】
請求項３に係る発明は、前記貯水部材（６００）から吸水バルブ（７２４）を通過してポンプ（７００）に向かう水の移動方向と、前記ポンプ（７００）から排水バルブ（７２５）を通過して植付装置（２０ａ，２０ｂ）に向かう水の移動方向は、同じ方向としたことを特徴とする請求項２に記載の移植機とした。
【００１３】
請求項４に係る発明は、前記走行車体（４０）の側方に、補充用の苗を載置する苗枠（５０）を設け、該苗枠（５０）は、苗枠支柱（５１）と、苗を受ける苗載せ台（５５）で構成し、該苗枠支柱（５１）は、走行車体（４０）から機体外側に突出する側方突出部（５１ａ）と、前記ステップ（１２２）の端部よりも外側で屈曲して機体上方に向かう上下部（５１ｂ）を有し、該側方突出部（５１ａ）と上下部（５１ｂ）に亘って、前記貯水部材（６００）を着脱自在に支持する保持部材（６０１）を設けたことを特徴とする請求項１から３のいずれか１項に記載の移植機とした。
【００１４】
請求項５に係る発明は、前記苗枠支柱（５１）の下部に、圃場を走行する走行装置（４４）に駆動力を伝動する走行伝動ケース（３８）を上下回動自在に設け、前記保持部材（６０１）の前後方向中央よりも後側を前記苗枠支柱（５１）に装着することを特徴とする請求項４に記載の移植機とした。
【００１５】
請求項６に係る発明は、前記走行伝動ケース（３８）を上下回動させて走行車体（４０）の車高を変更する昇降アクチュエータ（３００）を設け、該昇降アクチュエータ（３００）を伸縮操作する車高調節部材（１２３）を設け、該車高調節部材（１２３）を車高維持位置に操作すると、前記昇降アクチュエータ（３００）の収縮を規制する車高低下規制部材（３０６）を設けたことを特徴とする請求項５に記載の移植機である。
【発明の効果】
【００１６】
請求項１に係る発明により、チェックバルブ（７２０）がステップ（１２２）の機体外側下部に位置することにより、チェックバルブ（７２０）のメンテナンス作業を機体の外側から行うことができるので、作業能率が向上する。
【００１７】
請求項２に係る発明により、請求項１に係る発明の効果に加えて、吸水バルブ（７２４）と排水バルブ（７２５）をステップ（１２２）の同じ側に設けたことにより、チェックバルブ（７２０）のメンテナンス作業時に余分な移動が不要となるので、作業能率がさらに向上する。
【００１８】
請求項３にかかる発明により、請求項２に係る発明の効果に加えて、吸水バルブ（７２４）と排水バルブ（７２５）の水の移動方向を同じとしたことにより、吸水バルブ（７２４）と排水バルブ（７２５）を視覚的に判別でき、組付け間違い等による灌水不良の発生が防止される。
【００１９】
請求項４にかかる発明により、請求項１から３のいずれか１項に係る発明の効果に加えて、貯水部材（６００）の保持部材（６０１）を、苗枠支柱（５１）の側方突出部（５１ａ）と上下部（５１ｂ）に亘って設けたことにより、苗枠支柱（５１）を取付部材として活用できるので、部品点数の削減が図られる。
【００２０】
請求項５にかかる発明により、請求項４に係る発明の効果に加えて、保持部材（６０１）の前後中央寄りも後側を苗枠支柱（５１）に取り付けたことにより、貯水部材（６００）が走行装置（４４）の上方に位置せず、また、伝動ケース（３８）の回動支点付近に位置するので、伝動ケース（３８）を上下回動させて車高を調節するときに貯水部材（６００）と干渉することが防止される。
【００２１】
請求項６にかかる発明により、請求項５に係る発明の効果に加えて、車高低下規制部材（３０６）が昇降アクチュエータ（３００）の収縮を規制することにより、機体重量による荷重を受けて昇降アクチュエータ（３００）が収縮し、走行伝動ケース（３８）が回動して車高が変化することを防止できるので、作業再開時に車高を調節し直す必要が無く、作業能率が向上する。
【００２２】
また、車高の低下により植付装置（２０ａ，２０ｂ）等が圃場面に接触し、付着した土が苗の植付作業を妨害したり、設定と異なる作業を行わせることが防止されるので、苗の植付精度が向上する。
【図面の簡単な説明】
【００２３】
【図１】移植機の左側面図
【図２】移植機の右側面図
【図３】移植機の背面図
【図４】移植機の正面図
【図５】移植機の平面図
【図６】移植機の底面図
【図７】走行車体上の構造物の一部を取り除いた移植機の平面図
【図８】走行車体上の構造物の一部をさらに取り除いた移植機の平面図
【図９】走行車体上の構造物の一部を取り除いた移植機の斜視図
【図１０】走行車体上の構造物の一部をさらに取り除いた移植機の斜視図
【図１１】機体前側のバンパーの周辺を示す要部平面図
【図１２】機体前側のバンパーの周辺を示す要部側面図
【図１３】機体前側のバンパーの周辺を示す要部斜視図
【図１４】昇降機構と左右の植付ホッパの条間調節機構を示す側面図
【図１５】昇降機構と左右の植付ホッパの条間調節機構を示す平面図
【図１６】昇降機構と左右の植付ホッパの条間調節機構を示す背面図
【図１７】昇降機構と左右の植付ホッパの条間調節機構を示す斜視図
【図１８】植付ホッパの開閉機構の要部を示す背面図
【図１９】（ａ）条間調節プレートを示す要部の背面視図、（ｂ）条間調節プレートを示す要部の正面視図
【図２０】（ａ）昇降用油圧シリンダと収縮規制アームを示す要部側面図、（ｂ）収縮規制アームを示す要部側面図、（ｃ）収縮規制アームを示す要部背面図
【図２１】昇降用油圧シリンダと収縮規制アームを示す要部背面図
【図２２】苗収容体を円弧部で案内するスターホイルを示す平面図
【図２３】苗収容体を円弧部で案内するスターホイルを示す側面図
【図２４】座席サスペンション機構を備える作業座席の使用状態を示す要部斜視図
【図２５】座席サスペンション機構を備える作業座席の非使用状態を示す要部斜視図
【図２６】（ａ）非検知状態の着座センサを示す要部側面図、（ｂ）検知状態の着座センサを示す要部側面図
【図２７】灌水ポンプとチェックバルブを備える移植機の要部側面図
【発明を実施するための形態】
【００２４】
以下、図面に基づき、本発明の好ましい実施の形態について説明する。
【００２５】
図１は、本発明の実施の形態の移植機の一例として玉葱苗を移植する移植機１０を示す左側面図であり、図２は右側面図、図３は背面図、図４は正面図、図５は平面図であると共に、図６は底面図である。
【００２６】
なお、以下の説明では、操縦ハンドル４７を配置した側を後とし、その反対側、すなわちエンジン４１を配置した側を前とする。そして、機体前側に向かって右手側を右とし、左手側を左とする。
【００２７】
本実施の形態の移植機１０は、図１から図６に示すとおり、機体を前進走行可能とする走行車体４０と、走行車体４０の後部に設けた歩行操縦用の操縦ハンドル４７と、圃場に苗を植え付ける植付装置４２と、植付装置４２に苗を供給する苗供給装置４３を備えている。
【００２８】
走行車体４０は、機体前部にミッションケース３９を設け、該ミッションケース３９の前側に駆動源となるエンジン４１を設ける。前記ミッションケース３９の左右両側の機体後側下部には、後輪４４の左右位置を変更するトレッド調節が可能な車軸を覆う車軸カバー１０１が各々連結され、該車軸カバー１０１の機体外側端部には、機体後側に設ける後輪４４に駆動力を伝動する走行伝動ケース３８を各々上下回動可能に装着する。
【００２９】
なお、左右の後輪４４は、走行伝動ケース３８と、後述するメインフレーム１０３の左右間に各々配置することで、機体の左右幅を抑える構成としている。但し、苗の植付作業を行う畝幅等の条件に対応させるべく、左右の後輪４４を走行伝動ケース３８の機体外側に装着できる構成としておくと、対応可能な作業条件を増やすことができる。
【００３０】
より正確には、左右の車軸カバー１０１が内部の車軸（図示省略）を支点として回転可能に装着され、これらの車軸カバー１０１に走行伝動ケース３８を各々装着し、後述する昇降用油圧シリンダ３００やローリングシリンダ３１０の伸縮により車軸カバー１０１が回転することで、走行伝動ケース３８が上下回動する構成である。
【００３１】
そして、図６から図１０に示すとおり、前記左右の車軸カバー１０１の機体後側上部には、平面視でＬ字形状の連結ステー１０２を各々設け、該連結ステー１０２の機体後側に、前後方向を長手方向とするメインフレーム１０３の前端部を各々連結する。該左右のメインフレーム１０３の取付位置は、前記走行伝動ケース３８よりも機体内側である。
【００３２】
前記左右のメインフレーム１０３は、図５から図８に示すとおり、機体前後方向に直線状に配置されるが、側面視において後輪４４の前後中央部よりも機体後側位置と、後述する植付ホッパ２０ａ，２０ｂよりも機体前側位置との前後間で各々機体外側且つ機体上方、即ち、機体外側ほど上方に向かう傾斜姿勢で屈曲させる。さらに、後述する苗供給装置４３の左右両外側の下方となる位置で、メインフレーム１０３を機体後側に向けて屈曲させる。これにより、左右のメインフレーム１０３の前端部側の左右幅よりも、後端部側の左右幅が広い構成となる。
【００３３】
そして、図３、図６から図８に示すとおり、前記左右のメインフレーム１０３の後端部を、作業者が機体後部に立ち、旋回走行時等に機体後部を押し下げる操作や、収納作業時等に機体の進行方向の操作を行う操縦ハンドル４７を装着する、左右方向のハンドルフレーム１０４の左右両端部に各々連結する。
【００３４】
上記のとおり、左右のメインフレーム１０３を、左右間隔を空けて配置することにより、メインフレーム１０３同士の左右空間部に構成部材を配置する構成となり、メインフレーム１０３が部材の配置位置を分断しにくい構成となるので、設計の自由度が高くなる。
【００３５】
また、メインフレーム１０３を、後輪４４の前後中央部より後側で、且つ植付ホッパ２０ａ，２０ｂよりも前側位置で機体外側方向で且つ上方に向けて屈曲させたことにより、メインフレーム１０３の屈曲部は、走行伝動ケース３８が回動するときの上下移動量の大きい後部側から上方に離間すると共に、後輪４４からも大きく上方に離間するので、車高の変更をメインフレーム１０３が妨げることが防止される。
【００３６】
また、メインフレーム１０３の機体後側への屈曲部を、苗供給装置４３の左右両側の下方を通過させる構成により、苗供給装置４３を構成する、投入された苗を収容して所定の落下位置まで搬送する複数の苗収容体２２の移動をメインフレーム１０３が妨げることを防止できる。
【００３７】
そして、左右のメインフレーム１０３の前端部を、連結ステー１０２を介して各々車軸カバー１０１に連結すると共に、左右の後端部をハンドルフレーム１０４に連結することにより、移植機のフレーム構造を四角形の枠状に構成できるので、機体強度の向上が図られる。
【００３８】
図７及び図８に示すとおり、前記左右のメインフレーム１０３のうち、機体左右両外側で且つ上方への屈曲部よりも機体前側には、後上がり傾斜姿勢となる取付支持プレート１０５を各々設け、該取付支持プレート１０５の左右間には、前後方向に所定間隔を空けて梁フレーム１０６ｆ，１０６ｒを各々装着する。該前後の梁フレーム１０６ｆ，１０６ｒのうち、機体後側に位置する後側梁フレーム１０６ｒは、前側梁フレーム１０６ｆよりも機体上方に配置される。
【００３９】
前記前後の梁フレーム１０６ｆ，１０６ｒの左右中央部、即ち機体の左右中央と左右のメインフレーム１０３の左右方向の中間位置付近には、作業者が前記苗収容具２２に投入した苗を所定位置まで搬送し、左右の植付ホッパ２０ａ，２０ｂに各々供給する苗供給装置４３を下方から支持する供給支持フレーム１０７を各々設ける。
【００４０】
そして、該左右の供給支持フレーム１０７の下部には、前記ミッションケース３９から駆動力を受け、前記苗供給装置４３や、左右の植付ホッパ２０ａ，２０ｂの上下動機構２１に伝動する伝動ケース２６を設け、左右の供給支持フレーム１０７の下端部を、該伝動ケース２６の機体上側の側面と、前記前後の梁フレーム１０６ｆ，１０６ｒに取り付ける。
【００４１】
なお、前記左右の供給支持フレーム１０７は、側面視でＬ字形状の板体であり、且つ、上下方向を長手方向とする機体後部側を、機体内側に向かって折り曲げる構成としている。
【００４２】
上記の構成により、伝動系を内装すべく強固な造りとなっている伝動ケース２６を、左右の供給支持フレーム１０７の支持部材として用いることができるので、苗供給装置４３の荷重を受けて変形し、苗供給装置４３が傾くなどして苗が供給できなくなることが防止される。
【００４３】
また、前記ミッションケース３９の機体前側で且つ左右両側には、正面断面視でコの字形状のバンパー支持フレーム１０８を機体前側に突出させて設ける。そして、該左右のバンパー支持フレーム１０８の前方には、機体前側に突出するバンパー１０９を設ける。
【００４４】
なお、図１１から図１３に示すとおり、バンパー１０９は、板体の機体前側と左右両側を下方に折り曲げたバンパープレート１０９ａと、該バンパープレート１０９ａの上面に着脱可能なフロントウエイト１０９ｂと、バンパープレート１０９ａから左右方向に延びるバンパーロッド１０９ｃで構成している。該フロントウエイト１０９ｂは、鉄等の比較的重量があり且つ硬度の高い素材の塊で構成し、バンパープレート１０９ａよりも機体前側に突出する形状とする。
【００４５】
これにより、重量と硬度を有する塊であるフロントウエイト１０９ｂが最も機体前方に突出するので、障害物に接触したときにバンパープレート１０９ａまで損傷が及ぶことを防止できる。
【００４６】
前記左右のバンパー支持フレーム１０８の機体前側で、且つ機体下部側には機体下側が開口部となる凹部（図示省略）を形成し、これらの凹部に、機体左右方向を長手方向とする前部梁フレーム１１０を差し込んで固定する。
【００４７】
該前部梁フレーム１１０を設けることにより、左右のバンパー支持フレーム１０８とミッションケース３９とで機体前側にも四角形にフレームが組み上げられるので、機体前側の強度が向上する。特に、バンパー１０９が障害物に接触した際、前部梁フレーム１１０に左右のバンパー支持フレーム１０８を差し込んで固定しているので、左右のバンパー支持フレーム１０８の後部側に破損や衝撃が伝播しにくくなる。
【００４８】
また、ミッションケース３９を機体に組み付ける際、左右のバンパー支持フレーム１０８の凹部を前部梁フレーム１１０に差し込んでから左右方向に移動させることにより、ミッションケース３９の前後位置を固定したうえで左右位置を調節できるので、ミッションケース３９の取付位置のずれにより組立作業が滞ることが防止される。
【００４９】
なお、図７及び図８に示すとおり、前記ミッションケース３９の前側で且つ左右一側に前記エンジン４１の後部を積載し、エンジン４１の前部は、前部梁フレーム１１０の左右中央部付近に配置するエンジンマウントに積載する構成とするが、エンジン４１が配置される側のバンパー支持フレーム１０８とエンジン４１は、上下方向に間隔を空けて配置する構成とする。即ち、バンパー支持フレーム１０８は、エンジン４１を下方から受ける部材ではない。
【００５０】
上記構成により、バンパー１０９が障害物に接触したときの衝撃が、バンパー支持フレーム１０８からエンジン４１に伝播することを防止できるので、エンジン４１が破損することや、衝撃により作動不良を起こすことを防止できる。
【００５１】
また、バンパー支持フレーム１０８が衝撃で変形しても、エンジン４１の積載状態に影響を及ぼしにくい構成となり、バンパー１０９が破損してもエンジン４１の動力で作業や移動を行うことができる。
【００５２】
そして、図１１から図１３に示すとおり、前記バンパープレート１０９ａの左右両側には、バンパーロッド１０９ｃを装着する左右方向の凹部を有するステップ支持プレート１１１を各々装着する。該左右のステップ支持プレート１１１は、前記前部梁フレーム１１０の機体後側で且つ左右両側に各々設ける補強アーム１１２を介して支持する構成とする。該左右のステップ支持プレート１１１の上面は平坦であり、ここに作業者が機体前側から乗り降りする際に足を乗せる前側搭乗ステップ１１３を装着する。
【００５３】
なお、該左右の前側搭乗ステップ１１３は、台形状の枠内に複数の板体を配置し、大小の空間部を形成する構成であり、作業者が足を乗せる際に靴底に付着している土を下方に落下させるものである。板体の上面には凹凸を形成すると、靴底の溝に凸部が接しやすくなり、土落とし効果が向上する。
【００５４】
これにより、機体上に土が持ち込まれにくくなるので、土の除去作業に要する労力の軽減が図られる。
【００５５】
上記のとおり、前側搭乗ステップ１１３は複数の空間部が形成されているので、障害物との接触時に変形が生じやすい構造であるが、バンパー１０９よりも機体後側に位置していることにより、バンパー１０９が先に障害物に接触しやすい。これにより、前側搭乗ステップ１１３の破損が防止される。
【００５６】
前記エンジン４１及びミッションケース３９の左右両側は、作業者が走行車体４０の前側から乗降する際に通過する必要があるので、足場となるステップを設ける必要がある。しかしながら、ミッションケース３９はエンジン４１よりも機体下側に配置されていることにより、左右共通のステップにすると、一方のステップがミッションケース３９と干渉して取り付けられない。
【００５７】
従って、エンジン４１が偏倚して設けられる側の前側ステップ１１４Ｒは平板上とし、エンジン４１と左右一側のバンパー支持フレーム１０８の上下間に入り込ませて配置する。一方、エンジン４１とは反対側に設ける前側ステップ１１４Ｌには、ミッションケース３９を露出させる切欠部１１４Ｌａを形成し、左右他側のバンパー支持フレーム１０８上を覆わせる。
【００５８】
上記により、左右の前側ステップ１１４Ｌ，１１４Ｒを装着できるので、作業者は乗り降りがしやすい側で乗り降りができるので、作業能率が向上する。
【００５９】
また、エンジン４１が偏倚する側には切欠部１１４Ｌａを形成しないので、足場を広く確保できると共に、右側の前側１１４Ｒの強度の向上が図られる。
【００６０】
なお、前記左右の前側ステップ１１４Ｌ，１１４Ｒは、各々一枚の板体を折り曲げ、左右の前側搭乗ステップ１１３の後部に左右の前側搭乗ステップ１１３と略水平姿勢となる下部ステップ１１５と、下部ステップ１１５を後上方に折り曲げた立上傾斜ステップ１１６と、立上傾斜ステップ１１６を折り曲げて下部ステップ１１５と平行な姿勢とした上部ステップ１１７を各々有する。なお、立上傾斜ステップ１１６と上部ステップ１１７には、各々切欠きを形成すると、ミッションケース３９やその周辺のメンテナンス作業時に手や工具を移動させる空間が広がり、作業能率が向上する。
【００６１】
そして、前記左右の上部ステップ１１７と、前記左右のメインフレーム１０３の後上方屈曲部よりも機体前側には、機体側方から作業者が乗り降りすると共に、作業時の足場となる側部ステップ１１８を各々設ける。該側部ステップ１１８は、枠内に縦横に板体を配置して複数の空間部を形成しており、作業者の靴底に付着した土を下方に落下させる構成とする。
【００６２】
前記左右の側部ステップ１１８の左右間には、搭乗する作業者の足場となる中央ステップ１１９を着脱可能に設ける。該中央ステップ１１９の下方で、且つ左右のメインフレーム１０３の左右間には、図８及び図１０に示すとおり、前後の補強梁フレーム１２０ｆ，１２０ｒを前後間隔を空けて設ける。該前後の補強梁フレーム１２０ｆ，１２０ｒを固定するボルトは、中央ステップ１１９の下面に接触しない、あるいは中央ステップ１１９の上面から露出しない長さとし、左右のメインフレーム１０３の左右間に設ける補強フレーム１２１に各々装着する構成とすると、中央ステップ１１９上における作業者の足の動きをボルトが邪魔することがなく、作業能率が向上する。
【００６３】
以上により、フロアステップ１２２が構成される。
【００６４】
左右の前側ステップ１１４Ｌ，１１４Ｒ、左右の側部ステップ１１８、及び中央ステップ１１９の取付は、各々独立して行う、即ち、一つの取付部材（ボルト等）で共締めしないものとする。これにより、部分的なメンテナンス作業時に各ステップ構成体を取り外す際、別のステップ構成体を取り外す必要が無く、メンテナンス作業の能率が向上する。
【００６５】
また、前後の補強梁フレーム１２０ｆ，１２０ｒを前後間隔を空けて配置することにより、後述する昇降用油圧シリンダ３００や、圃場面の左右傾斜に合わせて植付姿勢を水平にするローリング機構の油圧天秤３０３のメンテナンス作業を走行車体４０上から行いやすくなるので、作業能率が向上する。
【００６６】
また、走行車体４０の機体前側の左右両側で、且つ後輪４４よりも機体前側には、前部梁フレーム１１０の下部側に設けられて機体左右方向に突出する横フレーム１６を介して、転動自在に支持した前輪４５を設ける。
【００６７】
そして、前記走行伝動ケース３８の前部の回動軸心位置には、ミッションケース３９から左右両外側方に延出させた車輪駆動軸の先端が入り込んで、ミッションケース３９内の走行部系変速伝動部を経た走行用の動力が走行伝動ケース３８内の伝動機構に伝達している。そして、走行用の動力は走行伝動ケース３８内の伝動機構を介して、走行用伝動ケース３８の後輪車軸１２に伝動し、後輪４４が駆動回転する構成としている。
【００６８】
なお、ミッションケース３９内に設けた左右それぞれのサイドクラッチ（図示せず）により、左右の各後輪４４の駆動を断つことが出来る構成になっている。従って、機体を旋回させるときには、サイドクラッチにより旋回内側となる左右一方の後輪４４を非駆動状態にしてスムーズに旋回できる構成としている。
【００６９】
また、前記走行伝動ケース３８には、走行伝動ケース３８の前部側を回動支点として後輪４４を上下させる、上下回動する駆動手段が連結している。具体的には、走行伝動ケース３８のミッションケース３９への取付部には、上方に延びるアーム１３が一体的に取り付けられており、アーム１３がミッションケース３９に固定された昇降用油圧シリンダ３００のピストンロッド先端に取り付けた連結体の左右両側部と連結している。左右一方側（右側）は、連結ロッドで連結し、他方側（左側）は、機体の傾斜に対応して伸縮作動可能な左右水平制御用油圧シリンダで連結している。
【００７０】
昇降用油圧シリンダ３００が作動してそのピストンロッドが機体後方に突出すると、左右のアーム１３は後方に回動し、これに伴い走行伝動ケース３８が下方に回動して、機体が上昇する。反対に、昇降用油圧シリンダ３００のピストンロッドが機体前方に移動してシリンダ内に引っ込むと、左右のアーム１３は前方に回動し、これに伴い走行伝動ケース３８が上方に回動して、機体が下降する。
【００７１】
この昇降用油圧シリンダ３００は、畝面に接地して機体と畝面との上下間隔の変動に伴って動作する畝面センサ１４によって作動する。畝面センサ１４の動作は機体の位置を基準とした畝上面高さを検出する動作となり、その畝面センサ１４の検出動作に基づいて機体を畝上面高さに対応して設定高さになる構成で昇降用油圧シリンダ３００が作動する構成としている。
【００７２】
また、左右水平制御用油圧シリンダが伸縮作動すると、その左右水平制御用油圧シリンダと連結する左側のアーム１３が回動して、左側の後輪４４のみを上下動させ、機体を左右に傾斜させる。この左右水平制御用油圧シリンダは、左右水平を基準として機体の左右傾斜を検出するセンサの検出結果に基づいて作動して、機体を左右水平にする構成としている。
【００７３】
上記の昇降用油圧シリンダ３００は、前記畝面センサ１４による検知、または機体後部に設ける車高調節レバー１２３の操作によって伸縮し、車高を変化させるものである。しかしながら、長時間停車していると、機体の重量による負荷が昇降用油圧シリンダ３００に加わり、作動油が自然にリークすることで、昇降用油圧シリンダ３００が収縮して車高が低くなってしまうことがある。
【００７４】
特に、長期間機体が停車状態となる、倉庫等での保管時に車高が下がると、畝面センサ１４や植付ホッパ２０ａ，２０ｂの下端部が床面に接触し、変形してしまう恐れや、床面を傷つけてしまうおそれがある。また、食事等による長時間の休憩の後、車高を再度調節し直す作業が必要となることもあり、作業能率の低下や、調節ミスにより植付深さが不揃いになるおそれがある。
【００７５】
図２０及び図２１に示すとおり、昇降用油圧シリンダ３００は、固定シリンダケース３０１と、該固定シリンダケース３０１に内装されて摺動する、摺動ロッド３０２の端部を支持する油圧天秤３０３と、該摺動ロッド３０２を伸長側、即ち走行車体４０の車高を高くする方向に付勢するスプリング３０４で構成し、該スプリング３０４の一端部には、伸長を規制する円弧形状のスプリングキャップ３０５を設ける。
【００７６】
そして、前記油圧天秤３０３の上部側には、回動操作により規制状態と非規制状態に切替可能な収縮規制アーム３０６を回動可能に設け、該収縮規制アーム３０６が規制状態側に回動すると、固定シリンダケース３０１と油圧天秤３０３の前後間に収縮規制アーム３０６の端部が接触し、摺動ロッド３０２が物理的に収縮方向に移動できない状態になる構成とする。
【００７７】
前記収縮規制アーム３０６は、に示すとおり、油圧天秤３０３に基部側をトルク・スプリング３０７を介して装着し、端部側には、摺動ロッド３０２の外周を覆う形で接触して固定シリンダケース３０１と油圧天秤３０３の前後間に入り込む規制スペーサ３０８と、スプリング３０４の前方で固定シリンダケース３０１の外周面に噛み込む規制ホルダ３０９を設けて構成する。
【００７８】
なお、該規制スペーサ３０８は、図２０（ｃ）に示すとおり、予備摺動ロッド３０２の外周に確実に接するべく、正面視でコの字形状とし、該規制ホルダ３０９は、固定シリンダケース３０１に噛み合わせるべく、円弧状の切り欠きを形成したものとする。また、規制スペーサ３０８及び規制ホルダ３０９の接触面には、昇降用油圧シリンダ３００に傷を付けることを防止すべく、ゴム等の軟質材をコーティングするとよい。
【００７９】
前記トルク・スプリング３０７は、収縮規制アーム３０６を非規制状態側に付勢しており、非規制状態では前記規制スペーサ３０８と規制ホルダ３０９が昇降用油圧シリンダ３００の伸縮域から完全に退避する位置に収縮規制アーム３０６が回動する構成とする。
【００８０】
前記収縮規制アーム３０６の規制状態と非規制状態の切替は、専用の手動操作レバーを設けて、走行車体４０のフロアステップ１２２上から行える構成としてもよいが、昇降用油圧シリンダ３００は走行車体４０の機体前後方向の中央付近に位置するので、手動操作レバーをフロアステップ１２２の上面から突出させる必要がある。フロアステップ１２２から手動操作レバーが突出していると、作業者の移動を妨げるおそれがあると共に、作業者の足が接触して規制状態と非規制状態の切替が意図せず行われてしまい、畝面センサ１４が圃場高さが低くなったことを検知しても昇降用油圧シリンダ３００が収縮できず、植付深さが浅くなるおそれがある。
【００８１】
また、車高調節を行ったあと、走行車体４０上で手動操作レバーを操作する必要があるので、作業工数が増加してしまうことになる。
【００８２】
これらの問題の発生を防止すべく、前記収縮規制アーム３０６の切替操作は、走行車体４０の操縦ハンドル４７の左右中央部の操縦パネル４７ａに設けられる、昇降用油圧シリンダ３００を伸縮操作して走行車体４０の車高を調節する、車高調節レバー１２３に連携ワイヤ１２４を設け、該車高調節レバー１２３の操作に連動して行われる構成とする。
【００８３】
前記車高調節レバー１２３は、機体前側に車高を高くする「高」ポジション、機体後側に車高を低くする「低」ポジションを有すると共に、「低」ポジションから機体外側方向には、昇降用油圧シリンダ３００の伸縮を停止させて車高を維持する「固定」ポジションを有する。「固定」ポジションに車高調節レバー１２３を操作すると、連携ワイヤ１２４が収縮規制アーム３０６を規制状態側に回動させる構成とする。一方、車高調節レバー１２３を「固定」ポジションから移動させて連携ワイヤ１２４が緩むと、トルク・スプリング３０７の付勢力により収縮規制アーム３０６は非規制状態側に回動する。
【００８４】
上記構成により、収縮規制アーム３０６が規制状態に操作されると、規制スペーサ３０８が固定シリンダケース３０１と油圧天秤３０３の前後間に入り込んで昇降用油圧シリンダ３００が収縮できない状態になるので、移植機の自重による車高の低下が防止される。
【００８５】
これにより、車高を再調整する作業が不要となり、作業能率が向上すると共に、植付ホッパ２０ａ，２０ｂや畝面センサ１４が床面に押し付けられて変形することが防止される。
【００８６】
また、規制ホルダ３０９が固定シリンダケース３０１に噛み込むことにより、収縮規制アーム３０６の接触位置がずれて昇降用油圧シリンダ３００が収縮可能な状態が維持されることを防止できる。
【００８７】
また、走行車体４０の後部の車高調節レバー１２３の操作に連動して、収縮規制アーム３０６が規制状態と非規制状態に切り替わるので、収縮規制アーム３０６の操作部材を別途設ける必要が無く、部品数の削減が図られる。
【００８８】
あるいは、フロアステップ１２２の上面に収縮規制アーム３０６の操作部材が突出することがなく、規制状態と非規制状態が意図せずに切り替わることが防止されるので、畝面の凹凸に合わせた植付深さで苗の植付が行える。
【００８９】
また、連携ワイヤ１２４は、収縮規制アーム３０６を規制状態側にのみ切り替える構成であるので、連携ワイヤ１２４が断線する、あるいは過度に伸長して撓む等の破損が生じたときは、トルク・スプリング３０７の付勢力により収縮規制アーム３０６が非規制状態側に回動するので、修理の際に固定シリンダケース３０１と油圧天秤３０３の間に挟まれた収縮規制アーム３０６を回動させる作業が不要となり、修理作業に要する労力の軽減が図られる。
【００９０】
なお、上記構成では、収縮規制アーム３０６は連携ワイヤ１２４により規制状態に回動し、トルク・スプリング３０７で非規制状態に回動する構成としているが、トルク・スプリング３０７で規制状態に回動し、連携ワイヤ１２４により非規制状態に回動する構成としてもよい。
【００９１】
具体的には、車高調節レバー１２３が「高」ポジションまたは「低」ポジションにあるときは連携ワイヤ１２４が収縮規制アーム３０６を非規制状態側に回動させており、「固定」ポジションに操作すると連携ワイヤ１２４が緩んでトルク・スプリング３０７の付勢力により収縮規制アーム３０６が規制状態側に回動する構成とする。
【００９２】
上記構成では、車高調節レバー１２３の「固定」ポジションへの操作により連携ワイヤ１２４が緩むと、トルク・スプリング３０７の付勢力によって収縮規制アーム３０６がすぐに規制状態側に回動するので、車高調節レバー１２３の操作による昇降用油圧シリンダ３００の収縮量をより小さく抑えられるので、車高がより確実に維持される。
【００９３】
図１、図２及び図５に示すとおり、前記横フレーム１６は、前部梁フレーム１１０に前後方向の軸中心にローリング回動可能に装着されており、該横フレーム１６の左右両側部には、上下に長い縦フレーム１７を装着する。そして、左右前輪４５は、縦フレーム１７の下端部側方に固着した前輪車軸１８に回転自在に取り付けられている。従って、左右前輪４５は、機体の左右中央の前後方向の軸心回りにローリング動自在となっている。また、横フレーム１６の左右両側部を基準として、縦フレーム１７が上下調節可能に設けられており、前輪４５の高さ調節をすることが出来る構成としている。
【００９４】
前記操縦ハンドル４７は、機体後部に設けられており、後輪４４の後輪車軸１２より機体後側に位置している。具体的には、ミッションケース３９に前端部を固定した機体フレーム１９の後端部に取り付けられている。
【００９５】
機体フレーム１９は、機体の左右中央で後方に延び、また、前後中間部から斜め後上方に延びている。
【００９６】
操縦ハンドル４７は、機体フレーム１９の後端部から左右に後方に延びてその各後端部を操縦ハンドル４７のグリップ部としている。
【００９７】
なお、図２では、グリップ部を左右に分かれた構成としているが、操縦ハンドル４７の左右の後端部を互いに左右に連結してその連結部分をグリップ部としても良い。
【００９８】
植付装置４２は、先端が下方に向かう嘴状の複数の植付具と、植付具の下端部が圃場面より上方となる位置と圃場面より下方となる位置とに植付具を上下動させる上下動機構２１と、嘴状の植付具の下端部が閉じて上方から苗を受け入れて内側に苗を収容可能する閉状態と植付具の下端部が左右に開いて内側に収容した苗を下方に放出可能とする開状態とに植付具を開閉する開閉機構とを備える。
【００９９】
図１から図６に示すとおり、本実施の形態の植付装置４２は、第１植付ホッパ２０ａと第２植付ホッパ２０ｂを左右に並べて配備した、二条植の構成としている。これらの第１植付ホッパ２０ａ及び第２植付ホッパ２０ｂは、ミッションケース３９から伝動される伝動ケース２６の左右両側部に設けられた上下動機構２１に各々装着されている。
【０１００】
上下動機構２１は、上下一対のリンクアーム２１ａ，２１ｂで構成されており、該上下のリンクアーム２１ａ，２１ｂは、前端部側を伝動ケース２６に上下回動可能に各々装着すると共に、後端部側を左右のリンクホルダ２１０，２１０の左右間に上下回動可能に各々装着する。上側リンクアーム２１ａの前端部は、伝動ケース２６に回転可能に装着する非円形カム２１１の回転軸から外周縁部側に離間する位置に設け、上下動機構２１により上下動される植付ホッパ２０ａ，２０ｂを前から後に揺動させる構成とする。
【０１０１】
なお、伝動ケース２６は、機体フレーム１９に下部を固定した取付部材の上部に固着されている。また、植付ホッパ２０ａ，２０ｂ及び上下動機構２１の後端部側は、側面視で左右の後輪４４，４４の後端部よりも機体後側に位置しており、各々の機体外側方は他の部材の無い空間部となっている。
【０１０２】
特に、上側リンクアーム２１ａの前端部を非円形カム２１１に装着する位置は、植付ホッパ２０ａ，２０ｂの静軌跡において、苗を受け取ってから下死点に向かうまでの間に植付ホッパ２０ａ，２０ｂを後傾姿勢から圃場面に対して略垂直な姿勢に変化すると共に、下死点から上昇し始めると垂直な姿勢から前傾姿勢に変化する位置とする。
【０１０３】
これにより、植付ホッパ２０ａ，２０ｂの動軌跡において、苗を植え付けるべく土中に進入する時間、及び距離を短くできるので、植付ホッパ２０ａ，２０ｂが圃場に形成
する植付孔の大きさを小さく抑えられるので、苗が倒れて植付姿勢が乱れることが防止される。
【０１０４】
また、植付ホッパ２０ａ，２０ｂが上死点付近で大きく前傾した姿勢になるので、作業者が投入する苗を所定位置まで搬送して落下供給する苗供給装置４３の落下供給位置に植付ホッパ２０ａ，２０ｂの上端部を近付けることができるので、苗が植付ホッパ２０ａ，２０ｂ内に供給されず、欠株が発生することが防止される。
【０１０５】
そして、苗が落下供給されるときの植付ホッパ２０ａ，２０ｂが傾斜姿勢であることにより、植付ホッパ２０ａ，２０ｂ内に入り込んだ苗を上部側から下部側に向かって滑らせて移動させることができるので、植付ホッパ２０ａ，２０ｂ内に苗が留まり、植付ホッパ２０ａ，２０ｂが土中に入り込んでも苗が植え付けられず、欠株が発生することが防止される。
【０１０６】
なお、前記非円形カム２１１と上側リンクアーム２１ａの間には、複数の円弧上の調節長孔２１２ａ…を形成した調節プレート２１２を配置し、調節長孔２１２ａ…にボルト等の固定部材を差し込む位置を変更することで、作業者が意図する植付ホッパ２０ａ，２０ｂの前後傾斜角度に調節可能な構成とする。
【０１０７】
これにより、苗の長さや植付深さ等の作業条件に合わせて植付ホッパ２０ａ，２０ｂの前後傾斜角度を適切に調節できるので、苗が生育に適した姿勢や植付深さで植え付けられ、苗の生育が良好になる。
【０１０８】
前記上下動機構２１の昇降駆動力は、前記非円形カム２１１の回転軸よりも機体後側に設ける昇降駆動軸２１３から伝動される。該昇降駆動軸２１３には、不等円形状の昇降カム２１４を装着し、該昇降カム２１４と上側リンクアーム２１ａの左右間に、上側リンクアーム２１ａを上下回動させる昇降クランク２１５を設ける。なお、下側リンクアーム２１ｂは、上側リンクアーム２１ａの上下回動に連動して上下回動するものであり、上下動機構２１を平行リンクとするものである。
【０１０９】
前記昇降クランク２１５は、一端を昇降カム２１４から機体外側に向かう回動軸に装着し、他端を上側リンクアーム２１ａの機体内側に設ける連結プレート２１６に装着し、植付ホッパ２０ａ，２０ｂの軌跡を苗の植付、及び苗供給装置４３からの苗の受け取りに適したものとする。
【０１１０】
なお、連結プレート２１６は上側リンクアーム２１ａから機体下方に向かって突出させ、下端部を下側リンクアーム２１ｂの上端部乃至上端部よりも僅かに上方に位置させて配置し、連結プレート２１６の下端部付近に昇降クランク２１５の他端部を装着する。
【０１１１】
上記構成により、昇降クランク２１５を機体下方寄りに配置できるので、重心が機体下部寄りとなることで、機体が部材の重量等により前後に傾斜しにくくなり、苗の植付深さや植付姿勢が安定する。
【０１１２】
また、昇降クランク２１５の他端部を連結プレート２１６に装着することにより、上側リンクアーム２１ａが昇降クランク２１５から直接負荷を受けない構成となるので、上側リンクアーム２１ａの耐久性の向上が図られる。
【０１１３】
上記のとおり、昇降動作により掛かる負荷が小さいので、上下のリンクアーム２１ａ，２１ｂは、内部が中空の角パイプで構成するとよい。上下のリンクアーム２１ａ，２１ｂが軽量であると、昇降クランク２１５や昇降カム２１４を通じて伝動ケース２６に伝わる負荷が小さくなるので、伝動ケース２６の耐久性も向上する。
【０１１４】
また、重量によって上昇速度が遅くなり過ぎることや、下降速度が速くなり過ぎることがなく、植付ホッパ２０ａ，２０ｂの昇降軌跡が安定し、苗の植付姿勢や植付深さが安定し、生育が良好になる。
【０１１５】
さらに、伝動ケース２６と上下動機構２１の左右間に昇降カム２１４、昇降クランク２１５及び連結プレート２１６を配置したことにより、上下のリンクアーム２１ａ，２１ｂが上下回動時に干渉しない構成となるので、上下のリンクアーム２１ａ，２１ｂを両方とも直線状にでき、構成の簡素化や強度の維持が可能になる。
【０１１６】
なお、植付ホッパ２０ａ，２０ｂの昇降及び前後傾動を苗の植付により適したものとすべく、上側リンクアーム２１ａと下側リンクアーム２１ｂの前後長さは異なるものとする。本件では、上側リンクアーム２１ａが下側リンクアーム２１ｂよりも短く構成している。
【０１１７】
上下のリンクアーム２１ａ，２１ｂの後端部は、上記のとおり左右のリンクホルダ２１０，２１０の左右間に、上下間隔を空けて装着するが、このとき、上側リンクアーム２１ａの装着位置を下側リンクアーム２１ｂの装着位置よりも機体前側に位置させる。
【０１１８】
これにより、植付ホッパ２０ａ，２０ｂが上死点付近に上昇したときは、上下のリンクアーム２１ａ，２１ｂの後端部側の支点間距離が長くなり、植付ホッパ２０ａ，２０ｂの前後揺動量を小さく抑えられるので、苗供給装置４３の落下供給位置付近で植付ホッパ２０ａ，２０ｂ上側の前後位置量が変化しにくく、苗を受け取り損なうことが減少する。
【０１１９】
また、植付ホッパ２０ａ，２０ｂが下死点付近に上昇したときは、上下のリンクアーム２１ａ，２１ｂの後端部側の支点間距離が短くなり、植付ホッパ２０ａ，２０ｂの前後揺動量が大きくなるので、植付ホッパ２０ａ，２０ｂを後傾姿勢から前傾姿勢に変更させることができ、植付ホッパ２０ａ，２０ｂが苗に接触して倒したり傷付けたりすることが防止される。
【０１２０】
前記下側リンクアーム２１ｂの前端部には、植付ホッパ２０ａ，２０ｂを昇降位置に合わせて開閉させる開閉機構を作動させる開閉ワイヤ２２０を上端部側に装着した、開閉アーム２１８を前後回動可能に装着する。該開閉アーム２１８の上部後側には、前記非円形カム２１１の径が一定以上である部分が通過する際に接触する接触ローラ２１９を設ける。
【０１２１】
非円形カム２１１が接触すると開閉アーム２１８が前方回動して開閉ワイヤ２２０を引くことで、植付ホッパ２０ａ，２０ｂが閉じていき、非円形カム２１１が接触しなくなると開閉アーム２１８が後方回動して開閉ワイヤ２２０が緩むことで、植付ホッパ２０ａ，２０ｂが開いていく構成である。
【０１２２】
なお、植付ホッパ２０ａ，２０ｂが開くのは、下降途中から苗を植え付けて上昇し始める間であり、閉じるのは、苗を植え付けて上昇し始めてから苗を受けて再び下降する間であり、非円形カム２１１の形状は対応するものである。
【０１２３】
前記左右のホッパホルダ２１０，２１０の後部側には、機体後側に開口するコの字形状に切欠部２２１を各々形成する。該切欠部２２１の上部及び下部には、ホッパホルダ２１０の構成体が機体後方に突出するものとする。
【０１２４】
そして、前記左右のホッパホルダ２１０，２１０の後部には、図１５から図１９に示す、側面視で機体前側が開口するコの字形状の条間調節プレート２２２を設ける。該条間調節プレート２２２の上下の前方突出部２２２ａには、左右方向の切溝２２２ｂ…を、左右のホッパホルダ２１０，２１０の左右間隔と略同じ左右間隔を空けて各々形成し、該切溝２２２ｂ…各々ホッパホルダ２１０，２１０に差し込んで装着する。このとき、切欠部２２１と条間調節プレート２２２の前後間には、側面視で四角形の調整空間部２２３が形成される。
【０１２５】
前記条間調節プレート２２２は、左右中央部が上下動機構２１を構成する上下のリンクアーム２１ａ，２１ｂの後方に位置し、左右方向に略同じ長さに突出しており、機体後部に位置する上下の壁面には、左右方向に亘って条間調節長孔２２４を形成している。
【０１２６】
該条間調節プレート２２２の後部には、植付ホッパ２０ａ，２０ｂを機体後側に支持するホッパホルダ２２５を設ける。該ホッパホルダ２２５は、上部側を機体前側にＬ字状に折り曲げて接続部２２５ａを形成すると共に、左右両側には、機体後側に突出して植付ホッパ２０ａ，２０ｂとボルト等の締結部材２０９を介して連結する連結部２２５ｂ，２２５ｂを形成する。また、接続部２２５ａの下方で且つ連結部２２５ｂ，２２５ｂよりも上側の上下方向の壁面には、ボルト等の締結部材２０９の取付孔（図示省略）が一または左右方向に複数形成されている。なお、ホッパホルダ２２５は、側面視でＬ字状の接続部２２５ａを条間調節プレート２２２の上側と後部側に沿わせ、条間調節長孔２２４と取付孔が同じ上下高さに位置する状態で装着する。これにより、締結部材２０９を外す、または緩めると、ホッパホルダ２２５を条間調節プレート２２２に沿って左右方向に摺動可能になる構成である。
【０１２７】
左右の植付ホッパ２０ａ，２０ｂの左右の植付間隔、即ち条間を調節するときは、上記のとおり締結部材２０９を外すかあるいは緩め、ホッパホルダ２２５を条間調節プレート２２２の左右幅内の任意の位置に移動させ、締結部材２０９を取り付けるかあるいは締めることで決定される。
【０１２８】
なお、締結部材２０９は、ホッパホルダ２２５の取付孔を介して差し込んでおき、調整空間部２２３側に設けるナットにねじ込む、あるいは抜き出すことで位置固定状態と条間調節状態に切替可能な構成とする。
【０１２９】
上記の構成では、条間調節長孔２２４内に締結部材２０９が入り込んでいることにより、締結部材２０９がストッパとなりホッパホルダ２２５が条間調節プレート２２２の左右端部から脱落することを防止できる。
【０１３０】
左右の植付ホッパ２０ａ，２０ｂを備える、本件の条間調節構成では、左右の条間調節プレート２２２，２２２の左右間隔を大きく確保できることにより、左右の植付ホッパ２０ａ，２０ｂの条間が最も狭くなるとき、即ち各ホッパホルダ２２５，２２５を各条間調節プレート２２２，２２２の機体内側端部まで移動させたときでも、左右の植付ホッパ２０ａ，２０ｂ同士が干渉し合わない配置となる。これにより、条間をより狭く設定できるので、従来よりも多様な作業条件に対応できる。
【０１３１】
また、条間調節プレート２２２を上下動機構２１の後部に設けたことにより、条間調節プレート２２２が植付ホッパ２０ａ，２０ｂの左右移動を妨げることを防止できるので、条間調節プレート２２２の左右幅に亘ってより広い範囲で条間を設定することができ、さらに多様な作業条件に対応できる。
【０１３２】
また、リンクホルダ２１０，２１０の前後間と条間調節プレート２２２の開口部の間に調整空間部２２３が形成されることにより、作業者は左右の後輪４４，４４の後側で且つ機体外側の空間部でナットを締めたり緩めたりする作業を行うことができるので、条間調節作業を能率よく行うことができる。
【０１３３】
なお、ナットの厚みは調整空間部２２３の前後幅の半分以下とすると、条間調節プレート２２２の左右中央部、即ち上下のリンクアーム２１ａ，２１ｂの後方にナット着脱用の工具を入り込ませる作業空間が確保されるので、条間調節プレート２２２の左右幅内で植付ホッパ２０ａ，２０ｂを固定できない位置が発生せず、必要な条間設定が可能になる。
【０１３４】
上記の条間調節機構では、左右の植付ホッパ２０ａ，２０ｂは基本的に左右対称の方向に移動させる。例えば、条間を７０ｃｍとするときは、左右の植付ホッパ２０ａ，２０ｂを条間調節プレート２２２，２２２の左右外側端部に各々移動させ、条間を３０ｃｍとするときは、左右の植付ホッパ２０ａ，２０ｂを条間調節プレート２２２，２２２の左右内側端部に各々移動させる。その他の条間は、条間調節プレート２２２，２２２の左右幅内の任意の位置に移動させて設定するが、条間を何ｃｍに設定しているかを作業者が視覚的にわかりやすくすべき、条間調節プレート２２２，２２２にインジケータを設けるとよい。このインジケータは、シールを印刷したものを貼り付ける、条間調節プレート２２２に書き込む、または彫り込むものとする。
【０１３５】
しかしながら、作物の種類や圃場環境によっては、幅広い畝に二条よりも多い条、例えば四条を植え付けることもあり得る。一つの畝を一往復して四条植え付ける場合、植付位置を畝の進行方向における左右一側にオフセットさせるべく、左右の植付ホッパ２０ａ，２０ｂを共に条間調節プレート２２２，２２２の左右一側に寄せても苗の植付を行うことが可能である。これにより、さらにさらに多様な作業条件に対応できる。
【０１３６】
前記植付ホッパ２０ａ，２０ｂは、ホッパホルダ２２５の上方にホッパカバー２２６を機体後側向きに向けて被せ、機体後側で且つ左右両側の上面を切り欠いて開放空間部を形成する。そして、前記ホッパホルダ２２５の後部側の壁面とホッパカバー２２６の後部側の壁面の前後間に左右の回動支軸２２７，２２７を各々設け、該回動支軸２２７，２２７には各々回動アーム２２８，２２８を回動可能に装着する。該左右の回動アーム２２８，２２８は、大部分が開放空間部から上方に突出させる。
【０１３７】
該左右の回動支軸２２７，２２７は、リンクホルダ２１０，２１０の切欠き部２２１や、条間調節プレート２２２よりも機体下側に配置する。
【０１３８】
これにより、ホッパホルダ２２５側の回動支軸２２７，２２７を条間調節プレート２２２の下部側で、且つリンクホルダ２１０，２１０と前後間隔を大きく開けることなく配置できるので、植付ホッパ２０ａ，２０ｂの前後位置が後ろに寄り過ぎず、コンパクトな構成とすることができる。
【０１３９】
なお、該回動アーム２２８，２２８のうち、機体外側に開閉ワイヤ２２０のケーブルアウターを装着し、機体内側にケーブルインナーを接続して、開閉ワイヤ２２０の引っ張りと弛みにより左右の回動アーム２２８，２２８が回動する構成とする。
【０１４０】
また、前記左右の回動支軸２２７，２２７には、左右一対のホッパステー２２９，２２９を下部側に装着する、コの字形状の開閉アーム２３０，２３０を左右回動可能に各々装着する。該開閉アーム２３０，２３０は、ホッパステー２２９，２２９の前後及び側面の上方を覆う形状であり、図１８に示すとおり、前後面の上部側には、左右方向の凹凸が上下方向に交互に噛み合うギア部２３０ａ，２３０ａが各々形成されている。このギア部２３０ａ，２３０ａの噛み合いにより、開閉アーム２３０，２３０の開閉時の回動量を同調させる構成であり、植付ホッパ２０ａ，２０ｂから苗を偏りなく開放可能な開度となる構成とする。
【０１４１】
また、開閉アーム２３０，２３０の前後面の機体下部側には、左右各々に支持ピン２３２，２３２を設け、該左右の支持ピン２３２，２３２に、左右の開閉アーム２３０，２３０を互いに近接し合う方向に付勢するスプリング２３３を前後に各々配置する。
【０１４２】
また、前記ホッパステー２２９，２２９は、前後の上方に折り曲げた部分を開閉アーム２３０，２３０の前後部と連結し、前後方向の底部の各機体内側部には、左右一対のホッパ構成体２３１，２３１を装着する半円形状の切欠部（図示省略）を形成している。該左右のホッパ構成体２３１，２３１は、開くときには下端部側ほど左右方向に大きく開くと共に、閉じたときは上下に亘って端面同士が略均等に接する構成とする。また、ホッパ構成体２３１，２３１の下端部付近は板状に形成し、土中に進入するときの抵抗を軽減する形状とする。
【０１４３】
さらに、前記ホッパカバー２２６に、左右のホッパ構成体２３１，２３１の最上部と略同径、乃至僅かに小径の開口部（図示省略）を形成し、この開口部に、苗供給装置４３から供給される苗を入り込ませて左右のホッパ構成体２３１，２３１の内部に案内する苗ガイド２３４を差し込んで装着する。なお、前記左右のホッパ構成体２３１，２３１の上端部付近の径は、上端部付近から下側の径よりも大径とする。
【０１４４】
該苗ガイド２３４のうち、ホッパカバー２２６よりも下側は略同径とし、ホッパカバー２２６よりも上側は、機体上側ほど大径に構成し、側面視及び背面視でテーパ形状とする。
【０１４５】
苗ガイド２３４の上部側がテーパ形状であることにより、上端側の径が最大になるので、苗が落下供給される位置が多少ずれても苗を受け止めることができ、植付ホッパ２０ａ，２０ｂが苗を植え付け損なうことが防止される。
【０１４６】
また、苗ガイド２３４の下部側の径を、ホッパ構成体２３１，２３１の上端部の径と略同径、乃至僅かに小径としたことにより、苗ガイド２３４とホッパ構成体２３１，２３１の間に隙間が生じないので、苗を確実に引き継がせることができ、確実に苗を植え付けられる。
【０１４７】
各苗収容体２２は、上下に開口する筒状体と、その筒状体の下側の開口部を開閉する底蓋とを有し、互いにループ状に連結している。
【０１４８】
移動機構２３は、連結した各苗収容体２２が左右の植付ホッパ２０ａ，２０ｂの上方近傍を通過する状態で、機体平面視で左右に長い長円形状のループ状の軌跡で、連結した苗収容体２２を左回りに周回動させる。
【０１４９】
苗落下機構は、苗収容体２２の底蓋を、その苗収容体２２に対応する、植付ホッパ２０ａ，２０ｂの上方位置で開放する。
【０１５０】
本実施の形態では、苗収容体２２の外周に円筒外周部を形成し、その円筒外周部に外側から回動自在に接続する係合部（丸孔）を設けて、２つの苗収容体２２を連結する連結体を複数形成した。そして、その連結体の係合部を苗収容体２２の円筒外周部に回動自在に接続し、その円筒外周部を回動軸として隣の苗収容体２２が回動自在に連結する状態として、複数の苗収容体２２を互いに連結した構成としている。すなわち、苗収容体２２と連結体とで無端チェーンの如く連結した構成である。
【０１５１】
これにより、苗収容体２２は、直線的に移動する直線状部分２８でも円弧状に移動する円弧状部分２９でも隣接する苗収容体２２との間隔が変わらないので、苗収容体２２から左右の植付ホッパ２０ａ，２０ｂに苗を供給する個所で、苗収容体２２の左右の植付ホッパ２０ａ，２０ｂを基準とした位置ズレが生じ難くなり、苗供給が適正に行われて適確な苗の植え付けが出来る。
【０１５２】
苗供給装置４３の移動機構２３は、無端チェーンの如く互いに連結する苗収容体２２を、左右に設けたスプロケットの外周の円弧状切欠部に巻き掛け、この左右のスプロケットを伝動ケース２６内から取り出した動力で駆動回転することにより、各苗収容体２２を周回動させる構成としている。
【０１５３】
苗収容体２２が周回する周回移動経路は、平面視で左右方向に延びる直線状部分２８と、スプロケットにより直線状部分２８から前側または後側に円弧状に曲がる円弧状部分２９とを備えた長円状であり、左右の後輪４４より機体内側に配置されている。
【０１５４】
前記苗供給装置４３の苗収容体２２は、直線状部分２８では比較的安定して所定方向に移動するが、左右両側部の円弧状部分２９では、苗収容体２２同士の間隔が狭まったり広くなったりして、苗供給装置４３の駆動に負荷を与えて破損させたり、苗の落下供給タイミングが不安定になったりするおそれがある。これを防止すべく、複数の苗収容体２２の内周縁部で、且つ苗供給装置４３の左右両外側部には、駆動回転するスターホイル２４０，２４０を各々設けており、該スターホイル２４０，２４０の外周縁部には等間隔に突起部が形成されている。これらの突起部を苗収容体２２の間隔部に入り込ませることで、苗供給装置４３の左右両側の円弧状部分２９を通過するときの各苗収容体２２の位置を各々保つことにより、過負荷の発生や、苗の落下供給タイミングのズレの発生を防止している。
【０１５５】
しかしながら、苗の植付作業中、スターホイル２４０の突起部は、常時苗収容体２２に接触し続けるので、摩耗により突起部の形状が変化したり、負荷の蓄積で破損しやすい傾向にある。変形や破損が生じたスターホイル２４０をそのまま用いると、苗収容体２２の搬送間隔が不安定になり、苗の落下供給タイミングが乱れる等、植付作業に支障が生じるおそれがある。
【０１５６】
この問題を解消すべく、図２２、図２３に示すとおり、スターホイル２４０の突起部に下方に突出する回転支軸２４１を各々設け、該回転支軸２４１の外周に、送りローラ２４２を回転可能に装着する。
【０１５７】
これにより、スターホイル２４０の突起部が直接苗収容体２２に接触しなくなるので、突起部の変形や負荷の蓄積が生じにくくなり、苗の落下供給タイミングの安定が図られる。
【０１５８】
また、苗収容体２２に接触する送りローラ２４２を回転可能としたことにより、送りローラ２４２の摩耗も軽減され、部品交換の頻度の増加が防止される。
【０１５９】
なお、送りローラ２４２の外周面を、ゴム等の摩擦係数が高く且つ弾性を有する被覆部材で覆う、あるいはコーティングを施すことにより、送りローラ２４２の摩耗をさらに軽減できると共に、摩擦力によりグリップ力の向上が図られ、苗収容体２２の搬送が安定する。
【０１６０】
また、左右の植付ホッパ２０ａ，２０ｂは、後輪車軸１２の位置よりも後側に配置している。
【０１６１】
苗供給装置４３は、左右の植付ホッパ２０ａ，２０ｂに合わせて苗収容体２２が一回りで周回移動して苗を供給する構成としている。
【０１６２】
植付ホッパ２０ａ，２０ｂは、それぞれ第１落下供給位置３１ａ及び第２落下供給位置３１ｂで、苗収容体２２から苗が落下供給される。
【０１６３】
そして、左右の植付ホッパ２０ａ，２０ｂに対応して落下供給する苗を収容する苗収容体２２を各別に設けており、苗収容体２２が対応する左右の植付ホッパ２０ａ，２０ｂの上方にきたときのみ底蓋が開き、対応しない左右の植付ホッパ２０ａ，２０ｂの上方では底蓋が開かない構成としている。
【０１６４】
すなわち、植付ホッパ２０ａに対応する苗収容体２２は第１落下供給位置３１ａにきたときのみ、植付ホッパ２０ｂに対応する苗収容体２２は第２落下供給位置３１ｂにきたときのみ、それぞれの底蓋が開いて対応する植付ホッパ２０ａ，２０ｂに苗が供給される構成となっている。
【０１６５】
なお、第１落下供給位置３１ａ及び第２落下供給位置３１ｂは、左右の植付ホッパ２０ａ，２０ｂの条間を調節した際、対応する位置に移動可能な構成とする。
【０１６６】
移動機構２３の作動周期は、上下動機構２１の作動周期に同期する設定にされており、左右の植付ホッパ２０ａ，２０ｂに対応する苗収容体２２を合わせて１つの苗収容体ユニットとして、その苗収容体ユニットを複数連結した構成とすることにより、苗収容体２２が左右の落下供給位置３１ａ、３１ｂを直列的に通過しながら、左右の植付ホッパ２０ａ，２０ｂに対応して苗供給漏れが生じることなく苗を供給でき、且つ左右の落下供給位置３１ａ、３１ｂを通過した後に苗が供給されなかった苗収容体２２が生じなくすべく、余すことなく左右の植付ホッパ２０ａ，２０ｂに対応して苗を供給出来る構成としている。
【０１６７】
本実施の形態の移植機１０は、左右の植付ホッパ２０ａ，２０ｂが植え付けた苗に合わせて覆土鎮圧することに利用される覆土鎮圧輪３７を左右の植付ホッパ２０ａ，２０ｂの苗植え付け個所の各後方左右両側近傍位置に設けている。該左右の覆土鎮圧輪３７は、別個に上下回動可能な支持アームに各々装着する。
【０１６８】
上記左右の植付ホッパ２０ａ，２０ｂは、苗の植付作業条件に合わせて左右位置を調節し、条間を変更することが可能であるが、設定条間に合わせて前記畝面センサ１４の接地位置を変更しないと、検知精度が低下するおそれがある。
【０１６９】
前記走行車体４０は、昇降用油圧シリンダ３００により左右の走行伝動ケース３８を上下回動させて植付深さを変更する構成であることは上述しているが、左右の植付ホッパ２０ａ，２０ｂの植付深さを各々できる限り適切にすべく、左右の走行伝動ケース３８のうち、左右一方、本件では機体左側の走行伝動ケース３８を別個に上下回動させる、ローリング制御も組み込まれている。
【０１７０】
具体的には、前記左側の走行伝動ケース３８と、油圧天秤３０３の機体左側端部の間にローリングシリンダ３１０を配置し、前記左右の覆土鎮圧輪３７の上下回動量の差に合わせて、ローリングシリンダ３１０を伸長または収縮する構成である。
【０１７１】
上記のローリングシリンダ３１０を機体左側に寄せて設けているので、畝面センサ１４は、機体右側の植付ホッパ２０ｂの前方を検知すると、機体の左右バランスが取りやすい。
【０１７２】
従って、前記畝面センサ１４は、図６及び図８に示すとおり、左右のメインフレーム１０３よりも下方に設ける底部梁フレーム１３３に設ける調節基部プレート１４ａと、該調節基部プレート１４ａに左右方向に取付位置を調節自在に設ける接地プレート１４ｂで構成する。
【０１７３】
該調節基部プレート１４ａの機体後部側には、左右方向の調節長孔１４ｃが形成されており、接地プレート１４ｂを該調節長孔１４ｃに沿って左右方向の位置を決め、ボルト等の固定部材で固定することにより、畝面センサ１４の検知位置が設定される構成である。
【０１７４】
上記構成により、左右の植付ホッパ２０ａ，２０ｂの条間設定に合わせて畝面センサ１４の検知位置を適切な位置に調節できるので、設定条間に合わせた植付深さの自動制御がより適切に行われ、苗の植付精度が向上する。
【０１７５】
本件の移植機には、苗供給装置４３に苗を補給する作業者が乗車して苗補給作業を行うべく、作業者が座る作業座席４６を設けている。具体的には、苗供給装置４３の前側となる機体左右中央位置に後向きに作業座席４６を配置している。作業座席４６に座る作業者は、苗供給装置４３の前側部に向って後側向き姿勢で着座して、苗供給装置４３の前側部、特に苗収容体２２の周回移動経路における前側の直線状部分２８に対応して苗補給作業を行う。
【０１７６】
また、前記操縦パネル４７ａの左右他側には、ミッションケース３９に内装され、左右の走行伝動ケース３８及び伝動ケース２６への駆動力の伝動を入切する主クラッチレバー１２５を設ける。
【０１７７】
本発明の移植機において、機体後部の操縦ハンドル４７による作業者の操作は、圃場への移動、輸送手段からの積み下ろし、倉庫への収納や、圃場端での旋回のときに行われるものである。一方、苗の植付作業時には、作業者は走行車体４０の作業座席４６に搭乗しており、操縦ハンドル４７の操縦パネル４７ａでの操作を行うことは困難である。
【０１７８】
従って、走行車体４０上には、作業座席４６に搭乗した作業者用の、車体上操縦部１２６を設ける。
【０１７９】
図４、図７及び図９に示すとおり、前記苗供給装置４３の下部には、機体後側に上方傾斜する後部ステップ１２７を設け、該後部ステップ１２７の左右どちらか一側、本件では機体右側（作業座席４６に着座した作業者を基準とすると左側）の端部に、車体上操縦部１２６を設ける。
【０１８０】
該車体上操縦部１２６は、最も機体外側に、走行車体４０の車高を調節して植付ホッパ２０ａ，２０ｂの植付深さを調節する第２車高調節レバー１２８を配置し、該第２車高調節レバー１２８よりも機体内側に、第２主クラッチレバー１２９を配置する。
【０１８１】
なお、苗の植付作業時は、基本的に車高を固定する必要が無いので、第２車高調節レバー１２８は「高」ポジションと「低」ポジションのみを有する構成とする。
【０１８２】
そして、前記後部ステップ１２７の外側端部には、第２車高調節レバー１２８を枠内に収めると共に車高の目安を示す表示目盛りを形成した車高調節レバーガイド１３０を機体前側に向かう上方傾斜姿勢で設け、該車高調節レバーガイド１３０の機体内側方には、第２主クラッチレバー１２９を枠内に収める主クラッチレバーガイド１３１を機体前側に向かう上方傾斜姿勢で設ける。
【０１８３】
なお、第２車高調節レバー１２８は、第２主クラッチレバー１２９よりも機体前側への突出量を大きくする。
【０１８４】
また、前記第２車高調節レバー１２８と第２主クラッチレバー１２９は、機体左右一側（機体右側）の前記取付支持プレート１０５、及び前後の梁フレーム１０６ｆ，１０６ｒに基部側を回動可能に装着するものとすると、別途取付部材を設ける必要が無く、部品点数の削減が図られる。
【０１８５】
さらに、前記車体上操縦部１２６よりも機体左右他側、即ち機体左側には、左右のサイドクラッチを入切操作するサイドクラッチペダル１３２Ｌ，１３２Ｒを、後部ステップ１２７の上面に露出させて設ける。
【０１８６】
前記車高調節レバーガイド１３０と主クラッチレバーガイド１３１は、側部ステップ１１８の上面との間に一定の上下間隔Ｓを空けて配置するものとする。上記の上下間隔Ｓは、作業者の足を入り込ませても空間が確保される程度（例：１５〜２０ｃｍ程度）とする。
【０１８７】
上記構成により、フロアステップ１２２上、及び作業座席４６に搭乗した作業者は、走行車体４０から降りることなく植付深さの手動操作や、植付作業の入切を手動操作することができるので、作業能率が向上すると共に、苗の植付精度が向上する。
【０１８８】
また、第２主クラッチレバー１２９を第２車高調節レバー１２８よりも作業座席４６に近付く機体内側に配置したことにより、苗の補充や植付状態の修正、休憩等の際に使用する第２主クラッチレバー１２９に作業者の手が届きやすく、労力の軽減が図られる。
【０１８９】
特に、問題の発生時に速やかに苗の植付作業を中断でき、苗の植え直し作業が不要になると共に、生育に適さず破棄される苗の数が減少する。
【０１９０】
また、第２車高調節レバー１２８を第２主クラッチレバー１２９よりも機体前側に突出させたことにより、作業座席４６から遠い側の第２車高調節レバー１２８を操作する際に腕を大きく伸ばす必要が無く、作業者の労力が軽減される。
【０１９１】
そして、後部ステップ１２７に左右のサイドクラッチペダル１３２Ｌ，１３２Ｒを設けたことにより、走行車体４０の進行方向が畝を基準とする直進方向から外れかけているときに前記サイドクラッチペダル１３２Ｌ，１３２Ｒのどちらかを操作して対応するサイドクラッチを一時的に切状態とすることで、走行車体４０の進路を修正でき、苗の植付位置が左右方向に蛇行することが防止される。
【０１９２】
また、車高調節レバーガイド１３０と主クラッチレバーガイド１３１、即ち車体上操縦部１２６と側部ステップ１１８の上下間に上下間隔Ｓが形成される構成としたことにより、作業座席４６に搭乗する作業者の足の動きが妨げられず、作業者は楽な姿勢で操縦座席４６に搭乗でき、労力の軽減が図られる。
【０１９３】
作業座席４６の左右両側で機体側面視で後輪４４の後輪車軸１２の上方位置に、苗供給装置４３に補給する苗を収容可能な予備苗枠５０を設けている。
【０１９４】
前記予備苗枠５０は、走行車体４０の機体外側に突出する苗載支柱５１の上部に支持ステー５２を設け、該支持ステー５２に回動状態と非回動状態を切替可能な苗載回動アーム５３を設け、該苗載回動アーム５３には上下方向の苗枠フレーム５４，５４を間隔を開けて配置すると共に、該苗枠フレーム５４，５４の同じ面に、補充用の苗を収容する苗箱や苗トレイ等の容器を載置する載置台５５の一側端部を装着して構成する。
【０１９５】
該載置台５５は、上下方向に一つだけ設けてもよいが、容器の取り出しに支障の無い上下方向の間隔を空けて複数配置してもよい。
【０１９６】
上記構成の予備苗枠５０は、走行車体４０の左右両側に各々設け、状況に合わせて支持ステー５２上で苗載回動アーム５３を回動させる。
【０１９７】
例えば、苗の植付作業時には、載置台５５の長手方向を機体前後方向に向けることで、載置台５５から苗の容器を取り出したり、空になった容器を戻しやすくすることで、作業能率を向上させることができる。
【０１９８】
また、この位置では載置台５５が走行車体４０の左右両側に位置するので、作業者が走行車体４０の搭乗可能な部分の端部を把握しやすくなり、走行車体４０上から足がはみ出し、姿勢を崩すことが防止される。
【０１９９】
また、走行車体４０に作業者が乗り降りするときには、苗載回動アーム５３を約９０度回動させる。
【０２００】
これにより、走行車体４０の左右両側に乗り降りの空間部が形成される。
【０２０１】
また、作業者は走行車体４０の機体前側からも乗り降りすることができるが、苗載回動アーム５３を回動させて苗枠フレーム５４，５４が機体前側に位置し、載置台５５が機体後側に位置する状態とすると、作業者は苗枠フレーム５４，５４を手摺りとして用いることができるので、走行車体４０の乗り降りを円滑に行うことができる。
【０２０２】
また、載置台５５に苗の容器を積載、あるいは取り出す際、機体後側からであれば容器の積載、取り出しを妨げる部材が無いので、作業能率が向上する。
【０２０３】
前記作業座席４６の走行車体４０への取付は、正面視または背面視においてコの字形状であり、エンジン４１等の上方を覆う機体カバー４８を跨ぐ座席フレーム４９のうち、機体左右方向となる部分の上部に装着する。該座席フレーム４９の上部には、機体前側に向かう左右のシートステー４９ａの基部が装着されており、作業座席４６は左右のシートステー４９ａの基部側の左右方向の回動支点を中心に、機体前後方向に回動可能に装着される。
【０２０４】
これにより、作業座席４６を苗供給装置４３の機体前側端部付近に接触する姿勢で載置できるので、作業中断時に作業者の着座部分に砂や雨水が付着することを防止できる。
【０２０５】
しかしながら、作業座席４６が回動可能であることにより、大きな凹凸を通過する時に作業座席４６が回動し、乗り心地を悪くしたり、作業者の搭乗姿勢を乱して苗供給装置４３への苗の供給タイミングを乱したりする問題がある。
【０２０６】
特に、作業者が作業座席４６に搭乗しているか否かを検知する着座センサ１４０を備え、着座センサ１４０が着座を検知しない場合に何らかの制御を行う構成とするものにおいては、誤検知により作業の中断や作業精度の低下が生じる問題がある。
【０２０７】
この問題を防止すべく、作業座席４６の前側下部に、図２４に示す、座席サスペンション機構１３４を前記左右のシートステー４９ａに接触する姿勢で配置する。
【０２０８】
該座席サスペンション機構１３４は、作業座席４６の下部に直接装着する上側プレート１３５と、側面視で凹形状の下側プレート１３６と、該下側プレート１３６を下方に付勢する左右のサスペンションスプリング１３７と、該左右のサスペンションスプリング１３７よりも機体外側に設け、作業者が着座して荷重がかると下側プレート１３６の凹部内に接触するインシュレータ１３８で構成する。該インシュレータ１３８は、ゴム等の弾性部材を筒状に形成したものとし、振動を吸収し得る構成とする。
【０２０９】
そして、前記下側プレート１３６の下面であり、前記左右のシートステー４９ａに接触する部分には、図２５に示すとおり、マグネットシート１３９を各々装着する。
【０２１０】
上記構成により、走行車体４０の走行や作業により生じる振動を座席サスペンション機構１３４で吸収することができるので、作業者が振動の影響で疲れにくくなる。
【０２１１】
また、作業座席４６を使用位置に回動させると、マグネットシート１３９が左右のシートステー４９ａに各々磁力で張り付くことにより、圃場の凹凸等の影響で機体が揺れても作業座席４６が機体前側に回動することを防止できるので、作業者の着座姿勢が変わりにくく、労力の軽減が図られると共に、苗の植付精度が向上する。
【０２１２】
なお、上記のマグネットシート１３９の代わりに、下側プレート１３６と左右のシートステー４９ａに各々板状の面ファスナーを接着剤等で張り付けておき、面ファスナー同士の接触で回動を規制する構成としてもよい。
【０２１３】
なお、前記着座センサ１４０を作業座席４６に装着する場合、前記左右のシートステー４９ａに装着する構成とすると、固定部分に着座センサ１４０が配置されることになるので、制御装置（図示省略）へ信号を伝達するハーネスを、回動を考慮せずに配策できるので、構成の簡潔化が図られる。
【０２１４】
また、回動時にハーネスが引っ張られて断線することが無いので、着座センサ１４０が検知不能になることがなく、着座センサ１４０を用いた制御を活用できる。
【０２１５】
前記着座センサ１４０は、作業座席４６を作業位置に回動させ、作業者の登場による荷重で押し下げられることで着座を検知する上下動方式の着座スイッチ１４１で構成し、該着座スイッチ１４１は、何度も荷重がかけられても変形することを防止すべく、ゴム等の弾性部材で構成する。
【０２１６】
上記構成により、着座スイッチ１４１は上下方向に動く構成であるので、着座スイッチ１４１の可動範囲に土がたまりにくく、着座センサ１４０の検知精度の低下が防止される。
【０２１７】
なお、着座スイッチ１４１は、図２６（ａ）（ｂ）に示すとおり、シートステー４９ａの少なくとも左右一側に設けるスイッチホルダ１４２に上下動可能に設け、作業座席４６を非作業位置に回動させた状態でシートステー４９ａ上に部材を積載するときは、シートステー４９ａの上面が平坦になる構成としてもよい。
【０２１８】
これにより、左右のシートステー４９ａの上面に苗箱や燃料タンク等を一時的に載置できるので、作業能率が向上する。
【０２１９】
また、前記座席フレーム４９の左右両側の下端部は、左右の走行用伝動ケース３８，３８を左右方向に移動させて、左右の後輪４４，４４の左右間隔を変更するスライド部のフレーム（図示省略）に連結する。
【０２２０】
これにより、座席フレーム４９がスライド部の構成部材を兼ねるので、スライド部の強度の向上が図られる。
【０２２１】
圃場に苗を移植する際、圃場の土質や周辺の水環境、あるいは作業前の天候等の条件を考慮して、植え付けた苗の付近に水を供給する、所謂灌水作業を行うことがある。
【０２２２】
本件の移植機には、図４で示すとおり、走行車体４０の左右両側に設けられる苗載支柱５１のうち少なくとも一方を、フロアステップ１２２の下部から機体外側に突出する側方突出部５１ａを有すると共に、該側方突出部５１ａの機体外側端部を走行伝動ケース３８の機体外側端部付近で上方に向けて屈曲させ、上下部５１ｂを有する構成とし、該側方突出部５１ａと上下部５１ｂに、平面視で長方形の枠形状の水タンクホルダ６０１を設けている。
【０２２３】
該水タンクホルダ６０１は、図１に示すとおり、機体前後方向に長辺部が向く配置とし、機体外側部で、且つ機体前後方向中央部よりも後側位置に、苗載支柱５１の上下部５１ｂと連結する左右方向の第１ジョイント６０２を設けると共に、機体内側部で、且つ機体前後方向中央部よりも後側位置に、苗載支柱５１の側方突出部５１ａと連結する上下方向の第２ジョイント６０３を設けている。
【０２２４】
水タンクホルダ６０１の取付位置が機体前後方向中央部よりも後側位置であることにより、積載する水タンク６００の機体後部が後輪４４から機体前側に離間するので、車高調節時等に水タンク６００が後輪４４に接触し、車高調節を妨げることが防止される。
【０２２５】
また、走行伝動ケース３８のうち、上下回動時の上下位置が変化しにくい機体前側、即ち回動支点付近の上方に水タン・BR>N６００の後部が位置するので、走行伝動ケース３８に水タンク６００が干渉することが防止され、車高調節を妨げることが防止される。
【０２２６】
そして、水タンクホルダ６０１を、第１ジョイント６０２及び第２ジョイント６０３を介して苗載支柱５１の側方突出部５１ａと上下部５１ｂに各々連結することにより、苗載支柱５１を水タンクホルダ６０１の取付部材とすることができるので、部品点数の削減が図られる。
【０２２７】
加えて、苗載支柱５１の側方突出部５１ａを水タンク６００の底部受けとするので、水を満載した水タンク６００に耐え得る底部支持部材を別途用意する必要が無く、部品点数の削減がいっそう図られる。
【０２２８】
なお、左右両方の苗載支柱５１を同じ形状とし、両方に水タンクステー６０１を設けてもよい。
【０２２９】
前記水タンク６００に貯留された灌水用の水は、走行車体４０の底部で、且つ機体前後中央付近に設けられる灌水ポンプ７００の動作によって汲み上げられると共に、植付ホッパ２０ａ，２０ｂが苗を植え付ける位置に排出される。該灌水ポンプ７００は、植付ホッパ２０ａ，２０ｂの数に合わせて配置し、走行車体４０の左右中央部を基準として、間隔を空けて左右に配置する。
【０２３０】
前記灌水ポンプ７００にホースを装着し、水タンク６００から灌水ポンプ７００を経由して散水ノズル７１０から水を排出する構成とすることもできるが、灌水ポンプ７００のピストンシリンダ（図示省略）の動作により、排出方向に送り出された水の一部が水タンク６００側に戻されることがある。これにより、圃場に供給される１回当たりの灌水量が減少し、水不足により苗の生育が遅れたり、生育不良により収穫物の品質を低下させるおそれがある。
【０２３１】
これを防止すべく、前記左右の側部ステップ１１８の機体外側の下部に、送水方向を一方に制限するチェックバルブ７２０を各々設け、水タンク６００とチェックバルブ７２０の給水側を吸水ホース７２１で連結すると共に、チェックバルブ７２０の排水側と排水ノズル７１０を排水ホース７２２で連結する。また、チェックバルブ７２０と灌水ポンプ７００を、中継ホース７２３で連結する。
【０２３２】
より具体的には、図２７で示すとおり、まず、機体前側から後側への送水を許容する方向に向けた吸水チェックバルブ７２４と排水チェックバルブ７２５を上下に並べて側部ステップ１１８の機体外側端部の下部に装着する。そして、前記吸水ホース７２１の一側を水タンク６００内に入り込ませ、他側を吸水チェックバルブ７２４の入口、即ち機体前側と連結し、前記排水ホース７２２の一側を排水チェックバルブ７２５の出口、即ち機体後側と連結し、他側を前記排水ノズル７１０に連結する。
【０２３３】
前記灌水ポンプ７００には、機体左右方向の第１中継ホース７２３ａの基部側を装着し、端部側には、三又形状の分岐ジョイント７２３ｄの収束ポートを装着する。そして、該分岐ジョイント７２３ｄの吸水ポートと吸水チェックバルブ７２４の出口（機体後側）の間には、第２中継ホース７２３ｂを設け、分岐ジョイント７２３ｄの排水ポートと排水チェックバルブ７２５の入口（機体前側）の間には、第３中継ホース７２３ｃを設ける。
【０２３４】
なお、排水ノズル７１０は、圃場に直接水を供給してもよいが、植付ホッパ２０ａ，２０ｂの上側開口部から内部に灌水をある程度の水勢で投入し、植付ホッパ２０ａ，２０ｂ内に付着した泥土の除去に利用する構成としてもよい。
【０２３５】
これにより、植付ホッパ２０ａ，２０ｂが開いている間に内部に入り込み、泥土を除去するスクレーパが不要になるので、部品点数の削減が図られる。
【０２３６】
上記スクレーパが、植付ホッパ２０ａ，２０ｂの昇降に連動して所定の軌跡を描くものであれば、所定の軌跡で昇降させる機構の部品を削減できるので、部品点数の大幅な削減と、機体構成の簡略化が図られる。
【０２３７】
さらに、泥土を灌水で圃場に戻すことができるので、圃場外を泥土で汚染することを防止できると共に、圃場内の養分の流出が軽減される。
【０２３８】
上記構成により、チェックバルブ７２０が機体左右外側の空間部に配置されるので、詰まり等の問題が生じた際に原因の調査やメンテナンス作業が行いやすく、労力の軽減や作業時間の短縮が図られる。
【０２３９】
また、吸水チェックバルブ７２４と排水チェックバルブ７２５の送水方向が同じになる配置としたことにより、分解後の組付作業時に取付方向を間違えにくくなり、作業能率が向上する。
【０２４０】
また、チェックバルブ７２０が水タンク６００の後側で、植付ホッパ２０ａ，２０ｂの前側で、且つ灌水ポンプ７００の機体外側に配置されることにより、吸水ホース７２１、排水ホース７２２、第１中継ホース７２３ａ、第２中継ホース７２３ｂ及び第３中継ホース７２３ｃの屈曲を最低限に抑え、且つ重複しにくい配置とすることができる。
【０２４１】
なお、吸水チェックバルブ７２４と排水チェックバルブ７２５は透明な筒とし、内部のスプリングや逆流防止用のボールを外部から確認できるものとすると、送水方向が視認でき、取付間違いがより生じにくくなる。
【産業上の利用可能性】
【０２４２】
本発明に係る移植機は、苗の植付を行う移植機等において、灌水装置のメンテナンス作業や組付作業を容易に行う構成に適用でき、産業上の利用可能性が高い。
【符号の説明】
【０２４３】
２０ａ  植付ホッパ（植付装置）
２０ｂ  植付ホッパ（植付装置）
３８  走行伝動ケース
４０  走行車体
４３  苗供給装置
５０  予備苗枠（苗枠）
５１  苗載支柱（苗枠支柱）
５１ａ  側方突出部
５１ｂ  上下部
１２２  フロアステップ（ステップ）
１２３  車高調節レバー（車高調節部材）
３００  昇降用油圧シリンダ（昇降アクチュエータ）
３６０  収縮規制アーム（車高低下規制部材）
６００  水タンク（貯水部材）
６０１  水タンクホルダ（保持部材）
７００  灌水ポンプ（ポンプ）
７２０  チェックバルブ
７２４  吸水チェックバルブ（吸水バルブ）
７２５  排水チェックバルブ（排水バルブ）
【図１】
2020068743.tif 000003
【図２】
2020068743.tif 000004
【図３】
2020068743.tif 000005
【図４】
2020068743.tif 000006
【図５】
2020068743.tif 000007
【図６】
2020068743.tif 000008
【図７】
2020068743.tif 000009
【図８】
2020068743.tif 000010
【図９】
2020068743.tif 000011
【図１０】
2020068743.tif 000012
【図１１】
2020068743.tif 000013
【図１２】
2020068743.tif 000014
【図１３】
2020068743.tif 000015
【図１４】
2020068743.tif 000016
【図１５】
2020068743.tif 000017
【図１６】
2020068743.tif 000018
【図１７】
2020068743.tif 000019
【図１８】
2020068743.tif 000020
【図１９】
2020068743.tif 000021
【図２０】
2020068743.tif 000022
【図２１】
2020068743.tif 000023
【図２２】
2020068743.tif 000024
【図２３】
2020068743.tif 000025
【図２４】
2020068743.tif 000026
【図２５】
2020068743.tif 000027
【図２６】
2020068743.tif 000028
【図２７】
2020068743.tif 000029